(57)【要約】【課題】第１には、ケース本体に設けたＬＥＤ照明体等が外から極力見えないようして高級感が向上させることができ、第２には、さらに高級感がより向上するように飾り物に対しＬＥＤの光を効果的に照射することができるＬＥＤ照明付き飾りケースを提供すること。【解決手段】ケース本体１は、収納された飾り物を外部から鑑賞可能にするようにガラスやアクリル板等の透明部材からなる正面透明板１１と天井透明板１４とを上部幅木材１６を介し接合しており、その上部幅木材１６の下面側には正面透明板１１の上端部に沿って長手方向にＬＥＤ照明体用凹部が形成され、そのＬＥＤ照明体用凹部の中に、複数のＬＥＤを所定間隔で配列したＬＥＤ照明体２を嵌めることより水平方向から見た場合にＬＥＤ照明体２がＬＥＤ照明体用凹部の中に隠れて見えないように格納した。【選択図】図１
0003185241.tif 000002
【実用新案登録請求の範囲】
【請求項１】
ケース本体内に人形や兜等の飾り物を外部から鑑賞可能に収納すると共に、ケース本体内の飾り物に対しＬＥＤ光を照射するようにしたＬＥＤ照明付き飾りケースであって、
前記ケース本体は、その中に収納された飾り物を外部から鑑賞可能にするようにガラスやアクリル板等の透明部材からなる正面透明板と天井板とを上部幅木材を介し接合しており、
その上部幅木材の裏面側には前記正面透明板の上端部に沿って長手方向にＬＥＤ照明体用凹部を形成し、そのＬＥＤ照明体用凹部の中に、複数のＬＥＤを所定間隔で配列したＬＥＤ照明体を嵌めることより水平方向から見た場合にＬＥＤ照明体がＬＥＤ照明体用凹部の中に隠れて見えないように格納したことを特徴とするＬＥＤ照明付き飾りケース。
【請求項２】
請求項１記載のＬＥＤ照明付き飾りケースにおいて、
前記ＬＥＤ照明体は、軟質の樹脂製長尺基材を介して複数のＬＥＤが所定間隔で配列されて構成されており、
前記ＬＥＤ照明体用凹部は、前記ＬＥＤ照明体を構成する複数のＬＥＤ素子を前記ケース本体の台座に置かれた飾り物に向かって照射するように複数のＬＥＤ素子の設置角度を変えながら前記上部幅木材の裏面から出っ張らないように格納したことを特徴とするＬＥＤ照明付き飾りケース。
【請求項３】
請求項２に記載のＬＥＤ照明付き飾りケースにおいて、
前記ＬＥＤ照明体用凹部は、前記ＬＥＤ照明体を構成する複数のＬＥＤがその長手方向の中央に向かうほど徐々に台座に置かれた飾り物に向かって照射するように当該ＬＥＤ照明体用凹部の長手方向に中央に向かうほど深く形成されていることを特徴とするＬＥＤ照明付き飾りケース。
【請求項４】
請求項３に記載のＬＥＤ照明付き飾りケースにおいて、
前記上部幅木材におけるＬＥＤ照明体用凹部の後側の角部は、前記ＬＥＤ照明体を構成する複数のＬＥＤ素子がその設置角度に応じてＬＥＤ光を照射できるように当該ＬＥＤ照明体用凹部の長手方向に中央に向かうほど後側へ削られていることを特徴とするＬＥＤ照明付き飾りケース。
【請求項５】
請求項１〜請求項４のいずれか一の請求項に記載のＬＥＤ照明付き飾りケースにおいて、
前記上部幅木材には、さらに、前記ＬＥＤ照明体に電源を供給する電源ケーブルの電源コネクタを嵌めて水平方向から見えないようにその電源コネクタを水平状態で格納する電源コネクタ用凹部が形成されていることを特徴とするＬＥＤ照明付き飾りケース。
【請求項６】
請求項１〜請求項５のいずれか一の請求項に記載のＬＥＤ照明付き飾りケースにおいて、
前記ＬＥＤ照明体用凹部には、さらに、前記ＬＥＤ照明が下方から見えないように半透明部材からなるスモーク板が嵌められていることを特徴とするＬＥＤ照明付き飾りケース。
【考案の詳細な説明】
【技術分野】
【０００１】
本考案は、ケース本体内に人形や兜等の飾り物を外部から鑑賞可能に収納すると共に、ケース本体内の飾り物に対し効果的にＬＥＤ光を照射するＬＥＤ照明付き飾りケースに関する。
【背景技術】
【０００２】
透明材で構成され且つその内部を収納空間とした略円筒状又は略多角筒状の外観形体をもつケース本体と、該ケース本体の内部に配置されたＬＥＤ照明体を備え、そのＬＥＤ照明体がケース本体の側面板の上縁部の内面又は天面板の外縁部の内面や幅木に固定したＬＥＤ照明付き飾りケースが提案されている（例えば、特許文献１参照。）。
【先行技術文献】
【特許文献】
【０００３】
【特許文献１】特開２０１０−２２７９５号公報
【考案の概要】
【考案が解決しようとする課題】
【０００４】
しかし、上述の特許文献１に記載された従来のＬＥＤ照明付き飾りケースでは、ＬＥＤ照明体を天井板や幅木材に貼り付け、その貼り付け部分が外部から見えないように断面フランジ形状（Ｌ字形状）の枠体によって目隠しているに過ぎないため、断面フランジ形状の枠体のフランジ面の無い側、例えば、枠体の斜め後方の上方から枠体を見た場合には、ＬＥＤ照明体やそのＬＥＤ照明体に電源を供給する電源ケーブルの電源コネクタ等が見えてしまい、概観上、問題があった。
【０００５】
特に、ＬＥＤ照明付き飾りケースの中に兜等のいわゆる光物の飾り物を収納して、ＬＥＤ照明体から照明を照射する場合、飾り物自体にその周囲の物が映る場合があり、ＬＥＤ照明体等が飾り物自体に映ることになると、飾り物自体の美的な価値を落しかねない。
【０００６】
また、一般的に、人形や兜等の飾り物はケース本体の中央に設置されることが多い一方、ＬＥＤの照明光は蛍光灯や電球の照明光に比べ、指向性（直進性）が強いため、ケース本体の両側と中央でＬＥＤの照射角度が同じであると、高級感があまり出ない。特に、光物の兜等の飾り物の場合、ケース本体の中央でスポットライトが当たるように光が照射されると反射するので、飾り物が通常置かれるケース本体の中央ほど飾り物に向かってＬＥＤ光が照射されてくると、より高級感が向上する。
【０００７】
そこで、本考案はこのような問題点に着目してなされたもので、第１には、ケース本体に設けたＬＥＤ照明体等が外から極力見えないようして高級感が向上させることができ、第２には、さらに高級感がより向上するように飾り物に対しＬＥＤの光を効果的に照射することができるＬＥＤ照明付き飾りケースを提供することを目的とする。
【課題を解決するための手段】
【０００８】
前記課題を解決するため、本考案のＬＥＤ照明付き飾りケースは、ケース本体内に人形や兜等の飾り物を外部から鑑賞可能に収納すると共に、ケース本体内の飾り物に対しＬＥＤ光を照射するようにしたＬＥＤ照明付き飾りケースであって、前記ケース本体は、その中に収納された飾り物を外部から鑑賞可能にするようにガラスやアクリル板等の透明部材からなる正面透明板と天井板とを上部幅木材を介し接合しており、その上部幅木材の裏面側には前記正面透明板の上端部に沿って長手方向にＬＥＤ照明体用凹部を形成し、そのＬＥＤ照明体用凹部の中に、複数のＬＥＤを所定間隔で配列したＬＥＤ照明体を嵌めることより水平方向から見た場合にＬＥＤ照明体がＬＥＤ照明体用凹部の中に隠れて見えないように格納したことを特徴とする。
ここで、前記ＬＥＤ照明体は、軟質の樹脂製長尺基材を介して複数のＬＥＤが所定間隔で配列されて構成されており、前記ＬＥＤ照明体用凹部は、前記ＬＥＤ照明体を構成する複数のＬＥＤ素子を前記ケース本体の台座に置かれた飾り物に向かって照射するように複数のＬＥＤ素子の設置角度を変えながら前記上部幅木材の裏面から出っ張らないように格納すると良い。
また、前記ＬＥＤ照明体用凹部は、前記ＬＥＤ照明体を構成する複数のＬＥＤがその長手方向の中央に向かうほど徐々に台座に置かれた飾り物に向かって照射するように当該ＬＥＤ照明体用凹部の長手方向に中央に向かうほど深く形成されているとさらに良い。
また、前記上部幅木材におけるＬＥＤ照明体用凹部の後側の角部は、前記ＬＥＤ照明体を構成する複数のＬＥＤ素子がその設置角度に応じてＬＥＤ光を照射できるように当該ＬＥＤ照明体用凹部の長手方向に中央に向かうほど後側へ削られているとさらに良い。
また、前記上部幅木材には、さらに、前記ＬＥＤ照明体に電源を供給する電源ケーブルの電源コネクタを嵌めて水平方向から見えないようにその電源コネクタを水平状態で格納する電源コネクタ用凹部が形成されていても良い。
また、前記ＬＥＤ照明体用凹部には、さらに、前記ＬＥＤ照明が下方から見えないように半透明部材からなるスモーク板が嵌められているとさらに良い。
【考案の効果】
【０００９】
本考案のＬＥＤ照明付き飾りケースによれば、正面透明板と天井板とを接合する上部幅木材の裏面側にはＬＥＤ照明体用凹部が形成され、そのＬＥＤ照明体用凹部の中に、複数のＬＥＤを所定間隔で配列したＬＥＤ照明体を嵌めることより水平方向から見た場合にＬＥＤ照明体がＬＥＤ照明体用凹部の中に隠れて見えないように格納したため、ケース本体に設けたＬＥＤ照明体が外から極力見えないように設けることができる。
また、ＬＥＤ照明体を構成する複数のＬＥＤ素子は、ケース本体内の中央に近付くほど当該ケース本体の背面に向かって照射するように樹脂製長尺基材を曲げてＬＥＤ照明体用凹部に斜めでかつ前記上部幅木材の裏面から出っ張らないように格納すると、ケース本体の中央でスポットライトが当たるように光が照射されるため、高級感がより向上するように飾り物に対しＬＥＤの光を効果的に照射することができる。
【図面の簡単な説明】
【００１０】
【図１】本考案に係る実施形態のＬＥＤ照明付き飾りケースの斜視図である。
【図２】本考案に係る実施形態のＬＥＤ照明付き飾りケースの上部幅木材の裏側を示す裏面図である。
【図３】図２におけるＡ部分である上部幅木材の裏側におけるＬＥＤ照明体用凹部と電源コネクタ用凹部を拡大して示す拡大裏面図である。
【図４】（ａ），（ｂ）それぞれ本考案に係る実施形態のＬＥＤ照明付き飾りケースのＬＥＤ照明体の平面図、断面図である。
【図５】本考案に係る実施形態のＬＥＤ照明付き飾りケースのＬＥＤ照明体に電流を供給するための電源ケーブルの平面図である。
【図６】本考案に係る実施形態のＬＥＤ照明付き飾りケースのＬＥＤ照明体をＬＥＤ照明体用凹部に嵌めて格納した際の設置角度の変化の一例を示す平面図である。
【図７】（ａ）〜（ｄ）それぞれ本考案に係る実施形態のＬＥＤ照明付き飾りケースの上部幅木材のＬＥＤ照明体用凹部における電源コネクタや、ＬＥＤ素子の設置状態を示す断面図である。
【図８】本考案に係る実施形態のＬＥＤ照明付き飾りケースのケース本体内におけるＬＥＤ光の照射角度の変化を示す断面図である。
【考案を実施するための形態】
【００１１】
実施形態１．
次に、本考案のＬＥＤ照明付き飾りケースの実施形態１について説明する。
【００１２】
図１は、本実施形態１のＬＥＤ照明付き飾りケースの斜視図である。
【００１３】
図１に示すように、本実施形態１のＬＥＤ照明付き飾りケースは、人形や兜等の飾り物を外部から鑑賞可能に収納すると共に、ケース本体内に収納した飾り物に対しＬＥＤ光を照射するようにしたもので、ケース本体１と、ケース本体１内を照らすＬＥＤ照明体２と、ＬＥＤ照明体２に電流を供給する電源ケーブル３とを有する。
【００１４】
ケース本体１は、図１に示すようにその両側が斜めに曲げられている正面透明板１１と、正面透明板１１両側の横透明板１２，１２と、背板１３と、天井透明板１４と、土台となる台座１５とを上部幅木材１６、第１縦幅木材１７，１７および第２縦幅木材１８，１８を介し接合して構成されている。具体的には、鉛直方向に起立状態にある正面透明板１１、横透明板１２，１２および背板１３と、水平状態にある天井透明板１４との間は、図１および図２に示すような四辺形の前方の両側の角部を面取りした形状の六角形の上部幅木材１６を介して接合している一方、正面透明板１１の両側と横透明板１２，１２の間は第１縦幅木材１７，１７、横透明板１２，１２と背板１３の両側との間は第２縦幅木材１８，１８を介して接合されている。
【００１５】
ここで、本発明では、少なくとも正面透明板１１がケース本体１内に収納された収納された飾り物を外部から鑑賞可能になるようにガラスやアクリル板等の透明部材から構成されていれば十分であるが、この実施形態１のＬＥＤ照明付き飾りケース１では、正面透明板１１のみならず、横透明板１２，１２および天井透明板１４も、ガラスやアクリル板等の透明部材から構成している。なお、背板１３も透明部材から構成しても勿論良いが、本実施形態では背板１３は透明部材を使用していない。
【００１６】
図２は、本考案に係る実施形態のＬＥＤ照明付き飾りケースの上部幅木材１６の裏側を示す裏面図である。
【００１７】
図２に示すように、本考案に係る実施形態のＬＥＤ照明付き飾りケースの上部幅木材１６中央の開口部１６１には水平に天井透明板１４が嵌るように構成されている一方、上部幅木材１６の裏側にはそれぞれ正面透明板１１、横透明板１２，１２および背板１３が縦に嵌る正面透明板用溝１６ａ、横透明板用溝１６ｂ，１６ｂおよび背板用溝１６ｃと、第１縦幅木材１７，１７と第２縦幅木材１８，１８が縦に嵌る第１縦幅木材用溝１６ｄ，１６ｄと第２縦幅木材用溝１６ｅ，１６ｅが形成されている。
【００１８】
そして、このＬＥＤ照明付き飾りケースの上部幅木材１６の裏側には、ＬＥＤ照明体２が後述するように中央に近付くほど設置角度が急になるように嵌めて格納するＬＥＤ照明体用凹部１６ｆと、電源ケーブル３の電源コネクタ３１（図５参照。）を格納する電源コネクタ用凹部１６ｇと、電源ケーブル３の電流供給線３３（図５参照。）を格納する電流供給線用凹部１６ｈが形成されている。
【００１９】
図３は、図２におけるＡ部分である上部幅木材１６の裏側におけるＬＥＤ照明体用凹部１６ｆと電源コネクタ用凹部１６ｇを拡大して示す拡大裏面図である。
【００２０】
図３に示すように、上部幅木材１６の裏側には、正面透明板１１の上端部に沿って、すなわち正面透明板用溝１６ａに沿って長手方向にＬＥＤ照明体用凹部１６ｆと電源コネクタ用凹部１６ｇが形成されている。そして、ＬＥＤ照明体用凹部１６ｆは、ＬＥＤ照明体２を構成する複数のＬＥＤ素子２３がその長手方向の中央に向かうほど徐々に台座１５に置かれた飾り物に向かって照射できるように、後述する図７（ｂ）〜（ｄ）に示すようにＬＥＤ照明体用凹部１６ｆの長手方向に中央に向かうほど深く形成している。
【００２１】
また、上部幅木材１６の裏側におけるＬＥＤ照明体用凹部１６ｆの後側、つまり背板１３側の角部は、図３や後述する図７（ｂ）〜（ｄ）に示すように、ＬＥＤ照明体２を構成する複数のＬＥＤ素子２３の設置角度に応じてＬＥＤ光を照射できるようにＬＥＤ照明体用凹部１６ｆの長手方向に中央に向かうほど鉛直方向に対し後側へ斜めに削っている。
【００２２】
図４（ａ）,（ｂ）は、それぞれ、ＬＥＤ照明体２の構成を示す平面図、断面図である。
【００２３】
図４（ａ）,（ｂ）に示すように、本実施形態のＬＥＤ照明体２は、例えば、シリコン樹脂などからなる樹脂製長尺基材２１の両側に接続端子２２，２２を設けると共に、その接続端子２２，２２間の樹脂製長尺基材２１の中に複数のＬＥＤ素子２３と図示しない抵抗等とを交互に所定間隔で埋設して図示しないリード線によって接続して構成されている。
【００２４】
ここで、接続端子２２と樹脂製長尺基材２１の厚さはほぼ同じで３ｍｍ程度か、接続端子２２の方が樹脂製長尺基材２１よりも若干厚い程度である。また、ＬＥＤ素子２３や抵抗２４自体は曲げることができないが、それらを埋設している樹脂製長尺基材２１は軟質で可撓性であるため、曲げることが可能であり、ＬＥＤ素子２３や抵抗２４の間の樹脂製長尺基材２１を曲げることにより各ＬＥＤ素子２３の設置角度、すなわち照射角度を変更できる。また、ＬＥＤ照明体２の裏側には、図４（ｃ）に示すように裏側一面にシール２４が設けられており、このシール２４によってＬＥＤ照明体用凹部１６ｆに貼り付け固定される。
【００２５】
図５は、電源ケーブル３の外観を示す平面図である。
【００２６】
図５に示すように、電源ケーブル３は、図示しないコンセント等からの電源電流をＬＥＤ照明体２に供給するもので、先端側には、例えばプラスチック等の硬質部材からなり、ＬＥＤ照明体２の接続端子２２の３ｍｍの厚さよりも厚い５ｍｍ厚で、かつ、その接続端子２２に接続される電源コネクタ３１が設けられている一方、その反対側には図示しないオス型のＤＣジャックと接続されるメス型のＤＣジャック３２が設けられており、この電源コネクタ３１とＤＣジャック３２との間に図示しないリード線が樹脂被覆された電流供給線３３が設けられている。また、電流供給線３３の途中には、図示しないが、ＬＥＤ照明体２への電源電流の供給をオン・オフする電源スイッチが設けられている。
【００２７】
＜ＬＥＤ照明体２とＬＥＤ照明体用凹部１６ｆにおける格納状況＞
次に、本実施形態の上部幅木材１６裏側のＬＥＤ照明体用凹部１６ｆや電流供給線用凹部１６ｈにおけるＬＥＤ照明体２とＬＥＤ照明体用凹部１６ｆの格納状況について説明する。
【００２８】
＜電源ケーブル３の格納状況＞
まず、上部幅木材１６の両側には、図２に示すようにＬＥＤ照明体２に電源を供給する電源ケーブル３の電流供給線３３を格納するための電流供給線用凹部１６ｈが形成されているため、その電流供給線用凹部１６ｈには、電源ケーブル３の電流供給線３３を水平方向から見えないように格納できる。
【００２９】
次に、上部幅木材１６の前方には、図２や図３に示すようにＬＥＤ照明体２の接続端子２２に接続された電源ケーブル３の電源コネクタ３１を格納する電源コネクタ用凹部１６ｇが形成されており、その電源コネクタ用凹部１６ｇは、図７（ａ）に示すように、ＬＥＤ照明体２と接続された電源ケーブル３の電源コネクタ３１を電源コネクタ用凹部１６ｇに水平、すなわち０°でかつ前記上部幅木材の裏面から出っ張らないように格納できる。
【００３０】
その結果、図７（ａ）に示すように電源ケーブル３の電源コネクタ３１が水平方向から見えないため、美観を向上させることができる。また、電源コネクタ用凹部１６ｇは、電源ケーブル３の中では最も厚くなる電源コネクタ３１を最も薄くなる水平状態で格納するため、上部幅木材１６自身の厚さを薄くでき、この点でも、美観を向上させることができる。なお、電源コネクタ３１の厚さは、例えば、約５ｍｍに対し、上部幅木材１６の厚さは約１２ｍｍとしている。
【００３１】
＜ＬＥＤ照明体２の格納状況＞
次に、ＬＥＤ照明体２の両側の端部に近いＬＥＤ素子２３は、図６に示す通り鉛直方向に対し０°、すなわち図７（ｂ）に示すように、図７（ａ）に示す電源コネクタ用凹部１６ｇにおける電源ケーブル３の電源コネクタ３１の０°設置と同じく、ＬＥＤ照明体用凹部１６ｆに０°、すなわち水平方向に設置される。そのため、ＬＥＤ照明体２の両側の端部に近いＬＥＤ素子２３は、図７（ｂ）に示すようにほぼ鉛直方向の真下に向かってＬＥＤ光を照射することになる。
【００３２】
次に、ＬＥＤ照明体２においてり鉛直方向に対し０°、すなわち水平方向に設置されるＬＥＤ素子２３より中央側のＬＥＤ素子２３は、図６および図７（ｃ）に示すようにＬＥＤ照明体用凹部１６ｆにおいて鉛直方向に対しほぼ３０°（３０°前後も含む。以下同じ。）で格納される。そのため、その３０°で設置されたＬＥＤ素子２３は、図７（ｃ）に示すようにほぼ鉛直方向に対し３０°だけ後側、つまり奥の背板１３側に向かってＬＥＤ光を照射することになる。
【００３３】
なお、図７（ｂ）と、図７（ｃ）とを比較すると明らかであるが、ＬＥＤ照明体用凹部１６ｆにおいて０°でＬＥＤ素子２３する設置する箇所よりも、それより中央側でＬＥＤ素子２３を３０°で格納する箇所の方が、さらに深い複数の凹部が形成され、ＬＥＤ照明体用凹部１６ｆ全体の深さが深く、かつ、ＬＥＤ照明体用凹部１６ｆの後側である図上右側の角部がそのＬＥＤ素子２３の設置角度に応じてＬＥＤ光を照射できるようにＬＥＤ照明体用凹部１６ｆの長手方向に中央に向かうほど鉛直方向に対し後側へ削られていることがわかる。
【００３４】
そして、ＬＥＤ照明体用凹部１６ｆにおける中央に近いＬＥＤ素子２３では、図６および図７（ｄ）に示すようにＬＥＤ照明体用凹部１６ｆにおいて鉛直方向に対し５０°（５０°前後も含む。以下同じ。）で格納される。そのため、その５０°で設置されたＬＥＤ素子２３は、図７（ｄ）に示すようにほぼ鉛直方向に対し５０°だけ後側である背板１３側に向かってＬＥＤ光を照射することになる。なお、図７（ａ）と、図７（ｄ）とを比較すると明らかであるが、ＬＥＤ照明体用凹部１６ｆにおいて３０°でＬＥＤ素子２３する設置する箇所よりも、それより中央側でＬＥＤ素子２３を５０°で格納する箇所の方が、さらに深い凹部が形成され、ＬＥＤ照明体用凹部１６ｆ全体の深さが深く、かつ、ＬＥＤ照明体用凹部１６ｆの後側である図上右側の角部がそのＬＥＤ素子２３の設置角度に応じてＬＥＤ光を照射できるように当該ＬＥＤ照明体用凹部の長手方向に中央に向かうほど鉛直方向に対し後側へ斜めに削られていることがわかる。
【００３５】
また、この実施形態１のＬＥＤ照明付き飾りケースでは、図７（ｂ）〜（ｄ）から明らかなように、ＬＥＤ照明体用凹部１６ｆの中に格納したＬＥＤ照明体２が下方からなるべく目立たないようにするため、ＬＥＤ照明体用凹部１６ｆにＬＥＤ照明体２を収納したのち、半透明部材からなるスモーク板１６２で蓋をしている。ただし、ＬＥＤ照明体用凹部１６ｆにスモーク板１６２で蓋をすることは本発明では任意であり、スモーク板１６２を省略しても良いし、さらには、電源コネクタ用凹部１６ｇや電流供給線用凹部１６ｈにスモーク板１６２で蓋をするようにしても良い。
【００３６】
図８は、この実施形態１のＬＥＤ照明付き飾りケースのケース本体１におけるＬＥＤ照明体２からの照射角度の一例を示す図である。
【００３７】
図８に示すように、この実施形態１のＬＥＤ照明付き飾りケースでは、ＬＥＤ照明体２に一列に配列された複数のＬＥＤ素子２３は、ＬＥＤ照明体２の長手方向の左右両側から中央に向かうに従って鉛直方向に対し０°、３０°、４０°、５０°というようになるべく背板１３側の奥の方、すなわちケース本体１の中央に置かれる兜や人形等の飾り物にＬＥＤ光を照射する。
【００３８】
従って、本実施形態のＬＥＤ照明付き飾りケースによれば、上部幅木材１６の下面側にはＬＥＤ照明体用凹部１６ｆが形成されており、そのＬＥＤ照明体用凹部１６ｆの中に複数のＬＥＤ２３を所定間隔で配列したＬＥＤ照明体２を格納したため、上部幅木材１６を水平方向から見た場合にＬＥＤ照明体２がＬＥＤ照明体用凹部１６ｆの中に隠れて見えなくなり、ＬＥＤ照明付き飾りケースの品質を向上させることができる。
【００３９】
特に、この実施形態１のＬＥＤ照明付き飾りケースでは、ＬＥＤ照明体用凹部１６ｆは、ＬＥＤ照明体２を構成する複数のＬＥＤ素子２３をケース本体１の台座１５に置かれた飾り物に向かって照射するように複数のＬＥＤ素子２３の設置角度を変えながら、しかも上部幅木材１６の裏面から出っ張らないように格納したため、ケース本体１の中央に置かれる兜や人形等の飾り物にＬＥＤ素子２３から光が最も直接的に照射され、高級感がより向上するように飾り物に対しＬＥＤの光を効果的に照射することができる。
【００４０】
また、この実施形態のＬＥＤ照明付き飾りケースでは、電源ケーブル３の電源コネクタ３１も、図７（ａ）に示すように上部幅木材１６の長手方向に形成されたＬＥＤ照明体用凹部１６ｆに水平に出っ張らないように格納されるため、上部幅木材１６の厚さを厚くしなくても、電源コネクタ３１が水平方向から見ても見えないように格納でき、この点でもＬＥＤ照明付き飾りケースの高級感を向上させることができる。
【００４１】
また、この実施形態１のＬＥＤ照明付き飾りケースでは、上部幅木材１６には、ＬＥＤ照明体２に電源を供給する電源ケーブル３の電流供給線３３を格納するための電流供給線用凹部１６ｈも形成されており、その電流供給線用凹部１６ｈに水平方向から見ても電源ケーブル３が見えないように格納したため、この点でも高級感が向上する。
【００４２】
また、この実施形態１のＬＥＤ照明付き飾りケースでは、図７（ｂ）〜（ｄ）から明らかなように、ＬＥＤ照明体用凹部１６ｆの中に格納したＬＥＤ照明体２が下方からなるべく目立たないようにするため、ＬＥＤ照明体用凹部１６ｆにＬＥＤ照明体２を収納したのち、半透明部材からなるスモーク板１６２で蓋をしている。
【００４３】
そのため、ＬＥＤ照明体２を使用していない昼間などは、上部幅木材１６の下方からその裏側のＬＥＤ照明体用凹部１４ｆを見ても、その中に格納されたＬＥＤ照明体２がスモーク板１６２でほとんど見えなくなるので、この点でも高級感が向上する。
【００４４】
また、夜間時や暗い場所等で、ＬＥＤ照明体２を使用した場合は、ＬＥＤ照明体２の複数のＬＥＤ素子２３からスモーク板１６２を介してＬＥＤ光がケース本体１内に照射されるため、複数のＬＥＤ素子２３から直接ケース本体１内に照射する場合よりも、より自然光に近い照明光を照射でき、この点でも高級感が向上する。また、ＬＥＤ照明付き飾りケースの中に兜等のいわゆる光物の飾り物を収納した場合、ＬＥＤ照明体２から照明を照射する場合、飾り物自体にその周囲の物が映る場合があるが、スモーク板１６２でＬＥＤ照明体２を隠しており、飾り物自体にＬＥＤ照明体２自身がハッキリと移ることを防止でき、この点でも高級感を向上させることができる。
【００４５】
なお、上記の実施形態のＬＥＤ照明付き飾りケースでは、ＬＥＤ照明体２の複数のＬＥＤ素子２３を０°、３０°、４０°、５０°の角度で設置するように説明したが、本発明では、この角度に限るものではなく、ケース本体１の中央に近付くほど、台座１５の中央または背板１３側を照射するように複数のＬＥＤ素子２３を傾けて設置するものであれば良い。
【００４６】
また、上記の実施形態のＬＥＤ照明付き飾りケースでは、ＬＥＤ照明体２のＬＥＤ素子２３をケース本体１の台座１５に置かれた飾り物に向かって照射できるようにＬＥＤ素子２３の設置角度を変えながら格納できるのであれば、上部幅木材１６のＬＥＤ照明体用凹部１６ｆの断面形状は、複数の矩形の凹部でなくても、湾曲した凹部でも勿論良い。
【００４７】
また、上記の実施形態のＬＥＤ照明付き飾りケースでは、ケース本体１を立方体の両角を面取りした６角の立方体により説明したが、本発明ではこれに限らず、通常の立方体や、正面体１１が湾曲している場合にも適用可能である。ただし、正面体１１が湾曲している場合、上部幅木材１６の前側も正面体１１の湾曲に応じて湾曲させることになる。
【符号の説明】
【００４８】
１  ケース本体
１１  正面透明板
１２，１２  横透明板
１３  背板
１４  天井透明板
１５  台座
１６  上部幅木材
１６ａ  正面透明板用溝
１６ｂ，１６ｂ  横透明板用溝
１６ｃ  背板用溝
１６ｄ，１６ｄ  第１縦幅木材用溝
１６ｅ，１６ｅ  第２縦幅木材用溝
１６ｆ  ＬＥＤ照明体用凹部
１６ｇ  電源コネクタ用凹部
１６ｈ  電流供給線用凹部
１６１  開口部
１６２  スモーク板
１７，１７  第１縦幅木材
１８，１８  第２縦幅木材
２  ＬＥＤ照明体
２１  樹脂製長尺基材
２２  接続端子
２３  ＬＥＤ素子
２４  シール
３  電源ケーブル
３１  電源コネクタ
３２  ＤＣジャック
３３  電流供給線
【図１】
0003185241.tif 000003
【図２】
0003185241.tif 000004
【図３】
0003185241.tif 000005
【図４】
0003185241.tif 000006
【図５】
0003185241.tif 000007
【図６】
0003185241.tif 000008
【図７】
0003185241.tif 000009
【図８】
0003185241.tif 000010